(57)【特許請求の範囲】
【請求項１】
繰出ロールＡ又は繰出目皿等により構成された繰出装置から繰り出された種子Ｓを、落下させる種子落下口２と、ブロワファン５等の発生した圧力空気流を、水田面に吹き付ける圧力空気導管４とを設け、
該圧力空気導管４は、種子落下口２と同じ位置の前後に設けられており、該圧力空気導管４を前部に、種子落下口２を後部に配置し、
先に、圧力空気導管４からの圧力空気流により、泥土を押し退けて凹部Ｂを作溝し、次に繰出ロールＡから重力により落下してくる一定粒数の種子Ｓを種子落下口２から、該凹部Ｂの中に嵌入させ、
該種子Ｓが落下し機体が進行した後に、逃げた泥土が該凹部Ｂに戻り、種子Ｓへの覆土作用が行われることを特徴とする播種機の作溝装置。
【発明の詳細な説明】
【０００１】
【発明の属する技術分野】
本発明は、種籾を直接に代掻きした水田に落下させて播種する直播装置に関する。
【０００２】
【従来の技術】
従来、種子を代掻きした水田に播種する技術において、種子の埋没深さが地表面から１〜２ｃｍ程度が最も発芽し易いのである。
しかし、従来のシュータイプやディスクタイプの作溝器では、１〜２ｃｍの深さに安定した作溝をすることが難しいために、発芽精度を上げることが困難となっていたのである。
【０００３】
【発明が解決しようとする課題】
代掻き後の地表面は水分を多く含んでいる為に、空気圧で泥を凹ませることが可能であり、そして圧力空気導管からの空気圧が無くなれば、直ぐに元の泥土が地表面に戻るのである。この現象を利用して、種子を１〜２ｃｍの一定の深さに埋没させることが出来るのである。
また、泥土の上方に水面がある場合にも、圧力空気導管からの空気圧を強くして、種子に勢いを付けることにより、種子を土中へ埋没させることが可能であり、精度の高い繰出装置を使用すれば、田植えをするのと同等の播種位置を確保することが可能となるのである。
【０００４】
本発明の解決しようとする課題は、以上の如くであり、次に該課題を解決するための手段を説明する。
繰出ロールＡ又は繰出目皿等により構成された繰出装置から繰り出された種子Ｓを、落下させる種子落下口２と、ブロワファン５等の発生した圧力空気流を、水田面に吹き付ける圧力空気導管４とを設け、該圧力空気導管４は、種子落下口２と同じ位置の前後に設けられており、該圧力空気導管４を前部に、種子落下口２を後部に配置し、先に、圧力空気導管４からの圧力空気流により、泥土を押し退けて凹部Ｂを作溝し、次に繰出ロールＡから重力により落下してくる一定粒数の種子Ｓを種子落下口２から、該凹部Ｂの中に嵌入させ、該種子Ｓが落下し、機体が進行した後に、逃げた泥土が該凹部Ｂに戻り、種子Ｓへの覆土作用が行われるものである。
【０００５】
【発明の実施の形態】
次に本発明の実施の形態を説明する。
図１は本発明の播種機を付設したトラクタＴの斜視図、図２は同じくトラクタＴの後部に、本発明の播種機を装着した状態の側面断面図、図３は繰出装置と圧力空気導管４とホッパーＨの部分の拡大断面図である。
【０００６】
図１と図２において、トラクタＴの後部に、本発明の播種機を装着した状態を説明する。
本実施例においては、トラクタＴは、乗用田植機の走行部をそのまま使用した形態としている。その為に、走行輪はタイヤではなくて、ラグ付き車輪により構成している。このように、ラグ付き車輪による走行装置としたことにより、水を張った水田を自由に走行することが出来るのである。
【０００７】
該トラクタＴの後部に作業機装着装置７を付設し、該作業機装着装置７に本発明の播種機を装着している。
本発明の播種機は、ブロワファン５とホッパーＨと繰出ロールＡと圧力空気導管４等により構成されている。
そして、ブロワファン５は電動モータＭにより、駆動すべく構成しており、作業機装着装置７により、播種機と共に上下可能としている。
【０００８】
ホッパーＨは、トラクタＴの進行方向に対して直角方向に長いタンクに構成し、この中に種子Ｓとして湛水直播装置の場合には、種籾を配置している。
該種籾の一定粒数を繰出ロールＡにより繰出して、ブロワファン５からの圧力空気流と共に、代掻き後の泥土状態の水田表面に吹き付けるのである。
【０００９】
上記、繰出ロールＡはロール駆動軸６により駆動されており、該ロール駆動軸６は播種条数だけ設けられた繰出ロールＡの全てを貫通して、共に駆動すべく構成している。そして、種子落下口２も植付条数と同じ数だけ垂設されている。
ブロワファン５からの圧力空気流は、播種条数だけ設けられた圧力空気導管４に分岐する必要があり、圧力空気流供給パイプ８の部分で分岐されている。
そして、圧力空気流供給パイプ８の先端が、各播種装置の圧力空気導管４に連通されている。
【００１０】
該圧力空気導管４は、種子落下口２と一体的に構成されて同じ位置に設けられており、圧力空気導管４が前であり、種子落下口２が後部に配置されている。この構成により、先ず圧力空気導管４からの圧力空気流により、泥土を押し退けて１〜２ｃｍの凹部Ｂを構成し、この凹部Ｂの中に、次に繰出ロールＡから落下してくる、一定粒数の種子Ｓを種子落下口２から嵌入させるのである。
【００１１】
該種子落下口２から種子Ｓを落下した後の行程には、覆土板や覆土ディスクは別に設けられておらず、泥土が自然に凹部Ｂを水平状態に復元する操作をそのまま、覆土作用に利用しているのである。
そして、代掻き直後であれば、水田の表面は水と泥に分離していないが、代掻き後に時間が経過している場合には、必ず水田の表面は表面の水層と、下方の泥の層に分離しているのである。
このように、水と泥が分離されている場合でも、圧力空気導管４から圧力空気流を吹き付けることにより、水の部分が吹き飛ばされて、泥の部分も巻き上げることになるので、この圧力空気流により水と泥を混合させて泥土を作り上げる効果があるのである。
【００１２】
図３においては、ホッパーＨと繰出ロールＡと掻き落としブラシ３と種子落下口２の部分の拡大側面図が開示されている。該掻き落としブラシ３は、繰出ロールＡの種子嵌入凹部に嵌入した種子の余剰部分を掻き落とす役目をしている。そして、種子嵌入凹部の内部に一定粒数だけ残された種子Ｓが、種子落下口２から凹部Ｂ内に落下するのである。
また、前記繰出ロールＡに代えて、繰出目皿を配設し、繰出装置を構成することも可能である。
【００１３】
本発明において、圧力空気導管４からの圧力空気流により泥土内に出来る凹部Ｂは、約１〜２ｃｍの深さであり、それ以上の深さには成らないのである。
そして、該１〜２ｃｍの内部に、一定の粒数の種子Ｓを重力により落下させるのである。該種子Ｓが落下した後に、機体がそのまま進行すると、一旦凹部Ｂを構成する為に、近辺に逃げた泥土が戻ってくることにより、種子Ｓへの覆土が出来るのである。
【００１４】
【発明の効果】
本発明は以上の如く構成したので、次のような効果を奏するのである。
繰出ロールＡ又は繰出目皿等により構成された繰出装置から繰り出された種子Ｓを、落下させる種子落下口２と、ブロワファン５等の発生した圧力空気流を、水田面に吹き付ける圧力空気導管４とを設け、該圧力空気導管４は、種子落下口２と同じ位置の前後に設けられており、該圧力空気導管４を前部に、種子落下口２を後部に配置し、先に、圧力空気導管４からの圧力空気流により、泥土を押し退けて凹部Ｂを作溝し、次に繰出ロールＡから重力により落下してくる一定粒数の種子Ｓを種子落下口２から、該凹部Ｂの中に嵌入させ、該種子Ｓが落下し、機体が進行した後に、逃げた泥土が該凹部Ｂに戻り、種子Ｓへの覆土作用が行われるので、この圧力空気流により構成される凹部Ｂは、常時１〜２ｃｍの深さの精度の高い穴となり、この中に播種された種子Ｓは、深すぎる位置に播種した場合に発生する発芽不能状態を発生することがなく、発芽率を１００％にすることが出来るのである。
逆に、地上に露出した地表面に種子Ｓが落下することにより、乾燥状態が続いて発芽不能となることも無くなったのである。
【図面の簡単な説明】
【図１】  本発明の播種機を付設したトラクタＴの斜視図。
【図２】  同じくトラクタＴの後部に、本発明の播種機を装着した状態の側面断面図。
【図３】  繰出装置と圧力空気導管４とホッパーＨの部分の拡大断面図。
【符号の説明】
Ａ  繰出ロール
Ｈ  ホッパー
２  種子落下口
３  掻き落としブラシ
４  圧力空気導管
５  ブロワファン
６  ロール駆動軸
【図１】
0003783739.tif 000002
【図２】
0003783739.tif 000003
【図３】
0003783739.tif 000004